(57)【要約】【課題】被験者の体動などにより生じることのある起歪板の位置ずれを防止できる生体情報計測用シーツを提供する。【解決手段】シーツ１は、一つ又は複数個の起歪板５と、起歪板５の歪みを検出し、被験者の生体情報の計測に用いられる信号を出力する歪み検出センサ６と、シーツ本体２と、を備える。起歪板５は、シーツ本体１の内部における被験者の被験部位に対応する位置に、シーツ本体２に対して固定された状態で配置されている。シーツ本体２の上面には、被験者の適切な就寝位置を示す人型のマーク１３が付されていることが望ましい。【選択図】図１
2008099957.tif 000002
【特許請求の範囲】
【請求項１】
被験者の一つ又は複数の被験部位の下側に被験者の幅方向に延びる態様にして配置され、弾性的に撓曲可能な帯状の一つ又は複数の起歪板と、
前記起歪板の歪みを検出し、被験者の生体情報の計測に用いられる信号を出力する歪み検出センサと、
シーツ本体と、を備え、
前記シーツ本体の内部における被験者の被験部位に対応する位置に、前記起歪板が前記シーツ本体に対して固定された状態で配置されていることを特徴とする生体情報計測用シーツ。
【請求項２】
前記シーツ本体の上面に、被験者の適切な就寝位置を示す人型のマークが付されている請求項１記載の生体情報計測用シーツ。
【請求項３】
前記シーツ本体は、折り畳み可能又は捲回可能である請求項１又は２記載の生体情報計測用シーツ。
【請求項４】
前記起歪板は、前記シーツ本体に対して取外し可能に固定されている請求項１〜３のいずれかに記載の生体情報計測用シーツ。
【請求項５】
前記シーツ本体は、該シーツ本体の上面を形成する上面シーツ部と、該シーツ本体の下面を形成する下面シーツ部と、を有しており、
前記上面シーツ部の内面の幅方向両側縁部に、それぞれ面ファスナの一方が該側縁部に沿って固着されるとともに、
前記下面シーツ部の内面の幅方向両側縁部に、ぞれぞれ前記面ファスナの他方が該側縁部に沿って固着されており、
前記上面シーツ部と前記下面シーツ部とが重ね合わされた状態において、前記両方の面ファスナの一方と他方との間で前記起歪板の幅方向両端部を挟んだ状態で前記両方の面ファスナの一方と他方とが互いに分離可能に接合されることにより、前記起歪板が前記シーツ本体に対して取外し可能に固定されている請求項４記載の生体情報計測用シーツ。
【請求項６】
前記シーツ本体の内部における前記起歪板の配置位置以外の位置に弾性シートが配置されている請求項１〜５のいずれかに記載の生体情報計測用シーツ。
【請求項７】
前記起歪板の個数は３個以上であり、
これらの起歪板は、被験者の頭部の下側に配置される頭部用起歪板と、被験者の胸部の下側に配置される胸部用起歪板と、被験者の腹部の下側に配置される腹部用起歪板と、を含んでいる請求項１〜６のいずれかに記載の生体情報計測用シーツ。
【請求項８】
前記上面シーツ部及び下面シーツ部の周縁部の一部同士が一体に連結されるとともに、
前記上面シーツ部及び下面シーツ部の周縁部の他部同士がファスナにより分離可能に結合されている請求項１〜７のいずれかに記載の生体情報計測用シーツ。
【請求項９】
請求項１〜８のいずれかに記載の生体情報計測用シーツと、
前記シーツの歪み検出センサからの出力信号に基づいて被験者の生体情報を演算する演算手段と、を備えていることを特徴とする生体情報計測装置。
【請求項１０】
請求項１〜８のいずれかに記載の生体情報計測用シーツと、
前記シーツの歪み検出センサからの出力信号に基づいて被験者の生体情報を演算する演算手段と、
前記演算手段の演算結果を報知する報知手段と、を備えていることを特徴とする生体活動監視システム。
【請求項１１】
請求項１〜８のいずれかに記載の生体情報計測用シーツと、
前記シーツの歪み検出センサからの出力信号に基づいて被験者の生体情報を演算する演算手段と、
寝床面を有するベッド本体と、を備え、
前記シーツは前記ベッド本体の寝床面上に敷かれるものであることを特徴とする生体情報計測ベッド。
【発明の詳細な説明】
【技術分野】
【０００１】
本発明は、被験者の生体情報を計測する際に用いられる生体情報計測用シーツ、生体情報計測装置、生体活動監視システム及び生体情報計測ベッドに関する。
【背景技術】
【０００２】
医療施設（例：病院）、介護施設、一般家庭等では、病人、健康人、乳幼児等の被験者の健康状態を把握するために、被験者の就寝中の生体情報を計測することが行われている。その計測に用いられる装置として、様々な構成のものが知られている（例えば、特許文献１及び２参照）。
【０００３】
例えば、特開２００６−４３４４５号公報（特許文献１）には、被験者の生体情報を計測するためのパネルが開示されている。このパネルは、被験者の下側に被験者の幅方向に延びる態様に配置され、弾性的に撓曲可能な帯状の起歪板（敷き板）と、該起歪板の歪みを検出する歪み検出センサと、を備えており、歪み検出センサから出力された信号が被験者の生体情報の計測に用いられるものである。
【０００４】
このパネルを用いることにより、被験者の生体情報を確実に計測することができ、また、このパネルは簡素な構造であるから、該パネルを低コストで製作することができるという利点がある。
【特許文献１】特開２００６−４３４４５号公報
【特許文献２】特開２００５−２５３９５７号公報
【発明の開示】
【発明が解決しようとする課題】
【０００５】
而して、このパネルを用いて被験者の生体情報を計測する場合には、次の欠点があった。
【０００６】
すなわち、被験者の生体情報の計測中に、被験者の寝返り等の体動によってパネルの起歪板の位置がずれることがあった。このようになると、生体情報を正確に計測できなくなる。
【０００７】
本発明は、上述した技術背景に鑑みてなされたもので、その目的は、被験者の体動などにより生じることのある起歪板の位置ずれを防止できる生体情報計測用シーツ、該シーツを備えた生体情報計測装置、前記シーツを備えた生体活動監視システム、及び前記シーツを備えた生体情報計測ベッドを提供することにある。
【課題を解決するための手段】
【０００８】
本発明は以下の手段を提供する。
【０００９】
［１］  被験者の一つ又は複数の被験部位の下側に被験者の幅方向に延びる態様にして配置され、弾性的に撓曲可能な帯状の一つ又は複数の起歪板と、
前記起歪板の歪みを検出し、被験者の生体情報の計測に用いられる信号を出力する歪み検出センサと、
シーツ本体と、を備え、
前記シーツ本体の内部における被験者の被験部位に対応する位置に、前記起歪板が前記シーツ本体に対して固定された状態で配置されていることを特徴とする生体情報計測用シーツ。
【００１０】
［２］  前記シーツ本体の上面に、被験者の適切な就寝位置を示す人型のマークが付されている前項１記載の生体情報計測用シーツ。
【００１１】
［３］  前記シーツ本体は、折り畳み可能又は捲回可能である前項１又は２記載の生体情報計測用シーツ。
【００１２】
［４］  前記起歪板は、前記シーツ本体に対して取外し可能に固定されている前項１〜３のいずれかに記載の生体情報計測用シーツ。
【００１３】
［５］  前記シーツ本体は、該シーツ本体の上面を形成する上面シーツ部と、該シーツ本体の下面を形成する下面シーツ部と、を有しており、
前記上面シーツ部の内面の幅方向両側縁部に、それぞれ面ファスナの一方が該側縁部に沿って固着されるとともに、
前記下面シーツ部の内面の幅方向両側縁部に、ぞれぞれ前記面ファスナの他方が該側縁部に沿って固着されており、
前記上面シーツ部と前記下面シーツ部とが重ね合わされた状態において、前記両方の面ファスナの一方と他方との間で前記起歪板の幅方向両端部を挟んだ状態で前記両方の面ファスナの一方と他方とが互いに分離可能に接合されることにより、前記起歪板が前記シーツ本体に対して取外し可能に固定されている前項４記載の生体情報計測用シーツ。
【００１４】
［６］  前記シーツ本体の内部における前記起歪板の配置位置以外の位置に弾性シートが配置されている前項１〜５のいずれかに記載の生体情報計測用シーツ。
【００１５】
［７］  前記起歪板の個数は３個以上であり、
これらの起歪板は、被験者の頭部の下側に配置される頭部用起歪板と、被験者の胸部の下側に配置される胸部用起歪板と、被験者の腹部の下側に配置される腹部用起歪板と、を含んでいる前項１〜６のいずれかに記載の生体情報計測用シーツ。
【００１６】
［８］  前記上面シーツ部及び下面シーツ部の周縁部の一部同士が一体に連結されるとともに、
前記上面シーツ部及び下面シーツ部の周縁部の他部同士がファスナにより分離可能に結合されている前項１〜７のいずれかに記載の生体情報計測用シーツ。
【００１７】
［９］  前項１〜８のいずれかに記載の生体情報計測用シーツと、
前記シーツの歪み検出センサからの出力信号に基づいて被験者の生体情報を演算する演算手段と、を備えていることを特徴とする生体情報計測装置。
【００１８】
［１０］  前項１〜８のいずれかに記載の生体情報計測用シーツと、
前記シーツの歪み検出センサからの出力信号に基づいて被験者の生体情報を演算する演算手段と、
前記演算手段の演算結果を報知する報知手段と、を備えていることを特徴とする生体活動監視システム。
【００１９】
［１１］  前項１〜８のいずれかに記載の生体情報計測用シーツと、
前記シーツの歪み検出センサからの出力信号に基づいて被験者の生体情報を演算する演算手段と、
寝床面を有するベッド本体と、を備え、
前記シーツは前記ベッド本体の寝床面上に敷かれるものであることを特徴とする生体情報計測ベッド。
【発明の効果】
【００２０】
本発明は以下の効果を奏する。
【００２１】
［１］の発明では、シーツ本体の内部における被験者の被験部位に対応する位置に、起歪板がシーツ本体に対して固定された状態で配置されているので、被験者の体動などにより生じることのある起歪板の位置ずれを防止できる。そのため、生体情報の計測の開始時から終了時までの間に亘って生体情報を正確に計測することができる。
【００２２】
［２］の発明では、シーツ本体の上面に、被験者の適切な就寝位置を示す人型のマークが付されているので、この人型マークに合うように被験者がシーツ本体上で横になることにより、起歪板を被験者の被験部位の下側に確実に配置させることができる。これにより、被験者の被験部位からの生体情報を確実に計測することができる。
【００２３】
［３］の発明では、シーツ本体が折り畳み可能又は捲回可能であるから、シーツ本体を使用しないときには、シーツ本体を折り畳んだりシーツ本体をその端部から捲回したりすることにより、シーツ本体をコンパクトな状態で保管したり収納したりすることができる。
【００２４】
［４］の発明では、起歪板がシーツ本体に対して取外し可能に固定されているので、被験者の身長に応じて起歪板の固定位置を変更することができる。これにより、起歪板を被験者の被験部位の下側に確実に配置させることができ、もって被験者の被験部位からの生体情報を確実に計測することができる。
【００２５】
さらに、シーツ本体が汚れた際には、起歪板をシーツ本体に対して取り外して、該起歪板をシーツ本体の内部から取り出すことにより、シーツ本体を容易に洗浄（洗濯）することができる。
【００２６】
［５］の発明では、起歪板の固定位置を変更する際に、互いに接合された面ファスナの一方と他方とを分離することにより、起歪板をシーツ本体に対して取り外すことができる。そのため、起歪板の固定位置を容易に変更することができる。
【００２７】
［６］の発明では、シーツ本体の内部に起歪板が配置されることより生じるシーツ本体の上面の凹凸を、弾性シートの厚さによって解消することができる。これにより、被験者に対して寝心地を良くすることができる。
【００２８】
［７］の発明では、被験者の頭部、胸部及び腹部からの生体情報をそれぞれ独立して計測することができる。これにより、より詳細な生体情報を計測できる。
【００２９】
［８］の発明では、起歪板の固定位置を変更する際に、ファスナを開くことにより、上面シーツ部及び下面シーツ部の周縁部の他部同士を互いに分離することができる。そのため、起歪板の固定位置を容易に変更することができる。
【００３０】
［９］の発明では、本発明に係る生体情報計測用シーツにおける上述した効果と同様の効果を奏する。
【００３１】
［１０］の発明では、被験者の生体活動を確実に監視できる生体活動監視システムを提供できる。
【００３２】
［１１］の発明では、被験者の生体情報を確実に計測できる生体情報計測ベッドを提供できる。
【発明を実施するための最良の形態】
【００３３】
次に、本発明の一実施形態について図面を参照して以下に説明する。
【００３４】
図１において、（２０）は、本発明の一実施形態に係る生体情報計測装置である。また、（５０）はベッドである。
【００３５】
この計測装置（２０）は、被験者（Ｈ）の主に就寝中の生体情報を計測するもので、医療施設（例：病院）、高齢者施設、介護施設、養護施設、一般家庭等で用いられるものである。この計測装置（２０）により計測される生体情報としては、呼吸情報を始め、その他に、脈拍情報（心拍情報）、体動情報等が挙げられる。被験者（Ｈ）としては、健康人、病人、高齢者、認知症患者、乳幼児等が挙げられる。
【００３６】
この計測装置（２０）は、本発明の一実施形態に係る生体情報計測用シーツ（１）と、演算手段（２１）と、通信手段（２２）と、報知手段（２３）とを備えている。
【００３７】
図１及び図２に示すように、このシーツ（１）は、平面視長方形状の柔軟なシーツ本体（２）と、３個の起歪板（５）（５）（５）と、各起歪板（５）に装着された３個の歪み検出センサ（６）と、を備えている。
【００３８】
図１に示すように、シーツ本体（２）は、ベッド（５０）の寝床部に配置された弾性マットレス（５１）上に、該マットレス（５１）の上面（５１ａ）全面を覆う状態に敷かれるものである。図８に示すように、被験者（Ｈ）はこのシーツ本体（２）上に横になって就寝する。本実施形態では、マットレス（５１）の上面（５１ａ）がベッド（５０）の寝床面（５２）に対応している。
【００３９】
図３〜図６に示すように、シーツ本体（２）は、袋状のものであり、該シーツ本体（２）の上面を形成する上面シーツ部（３）と、該シーツ本体（２）の下面を形成する下面シーツ部（４）と、を有している。そして、上面シーツ部（３）と下面シーツ部（４）とが互いに重ね合わされることにより、シーツ本体（２）が形成されている。詳述すると、図６に示すように、このシーツ本体（２）は、柔軟な布や合成樹脂（ポリエチレン、ポリプロピレン、ポリ塩化ビニル等）製の一枚のシート材から形成されたものであって、該シート材が二つに折られるとともに、該二つ折り状のシート材の一方の半部が上面シーツ部（３）とされるとともに、他方の半部が下面シーツ部（４）とされたものである。したがって、上面シーツ部（３）及び下面シーツ部（４）の周縁部のうち右側縁部同士は一体に連結されており、一方、上面シーツ部（３）及び下面シーツ部（４）の周縁部のうち頭側の縁部同士、左側縁部同士、及び足側の縁部同士は、これらの縁部に固着（縫着）されたファスナ（１２）によって分離可能に結合されている（図１参照）。なお（１２ａ）は、このファスナ（１２）の引手である。
【００４０】
また、シーツ本体（２）は、二つ折りや三つ折り等に折り畳み可能なものであり、更に、該シーツ本体（２）の一端から丸く捲回可能なものである。
【００４１】
シーツ本体（２）の長さは例えば１８００〜２３００ｍｍの範囲内に設定されている。シーツ本体（２）の幅は例えば６００〜８５０ｍｍの範囲内に設定されている。シーツ本体（２）の上面シーツ部（３）及び下面シーツ部（４）の厚さはそれぞれ０．３〜０．５ｍｍの範囲内に設定されている。
【００４２】
ただし本発明では、シーツ本体（２）の大きさ（長さ、幅、厚さ）は上記の範囲内であることに限定されるものではなく、被験者（Ｈ）の身長やベッド寝床面（５２）の大きさ等に応じて様々に設定されるものである。
【００４３】
３個の起歪板（５）は互いに同一形状である。起歪板（５）は、弾性的に撓曲可能なものであり、図６に示すように、一方向に延びた平面視長方形状の帯状に形成されている。これらの起歪板（５）は、被験者（Ｈ）の各被験部位の下側に１個ずつ被験者（Ｈ）の幅方向に延びる態様に水平状に配置されるものである。
【００４４】
本実施形態では、被験者（Ｈ）の被験部位の数は３つであり、被験部位を具体的に挙げると、被験者（Ｈ）の被験部位は、被験者（Ｈ）の頭部、胸部及び腹部である。
【００４５】
起歪板（５）は、金属板から形成されており、詳述するとアルミニウム（その合金を含む。以下同じ。）板から形成されており、板状の押出材や圧延材等からなる。起歪板（５）がアルミニウム板から形成されることにより、シーツ（１）の軽量化を図ることができる。
【００４６】
ただし本発明では、起歪板（５）はアルミニウム製であることに限定されるものではなく、その他に、例えば、鉄、鋼、ステンレス鋼、マグネシウム合金、銅（その合金を含む。）製であっても良いし、繊維強化プラスチック等のプラスチック製であっても良い。
【００４７】
ここで本明細書では、起歪板（５）の長さ方向とは、被験者（Ｈ）の身長方向に沿う方向、即ちベッド寝床面（５２）の長さ方向に沿う方向である。起歪板（５）の幅方向とは、被験者（Ｈ）の幅方向に沿う方向であり、即ちベッド寝床面（５２）の幅方向に沿う方向である。
【００４８】
起歪板（５）の上下両面は平坦状に形成されている。また、起歪板（５）の厚さは、該起歪板（５）の幅方向及び長さ方向において一定に設定されている。また、起歪板（５）の長さは、該起歪板（５）の幅方向において一定に設定されている。
【００４９】
ただし本発明では、起歪体（５）の厚さは該起歪板（５）の幅方向及び長さ方向において一定に設定されていることに限定されるものではなく、その他に、例えば、起歪体（５）の幅方向中間部の厚さが、該起歪板（５）の幅方向両端部の厚さよりも薄く設定されていても良い。また本発明では、起歪板（５）の長さは、該起歪板（５）の幅方向において一定に設定されていることに限定されるものではなく、その他に、例えば、起歪板（５）の幅方向中間部の長さが、該起歪体（２）の幅方向両端部の長さよりも短く設定されていても良い。
【００５０】
起歪板（５）の幅は、例えば３００〜１２００ｍｍの範囲内に設定される。起歪板（５）の長さは、例えば５０〜２００ｍｍの範囲内に設定される。このように起歪板（５）の幅及び長さを設定することにより、被験者（Ｈ）として乳幼児から大人まで起歪板（５）を適用することができ、もって被験者（Ｈ）に対する起歪板（５）の適用範囲が増大する。また、起歪体（５）の厚さは、例えば０．５〜３ｍｍの範囲内に設定される。
【００５１】
ただし本発明では、起歪板（５）の幅、長さ及び厚さは上記の範囲内であることに限定されるものではない。
【００５２】
起歪板（５）の曲げこわさは、例えば３×１０4〜１２×１０8Ｎｍｍ2の範囲内に設定される。起歪体（５）の曲げこわさが上記の範囲内に設定されることにより、被験者（Ｈ）の生体活動に伴い起歪板（５）に歪みが確実に生じたりその歪みが確実に変動したりするものとなる。ただし本発明では、起歪板（５）の曲げこわさは上記の範囲内であることに限定されるものではない。
【００５３】
なお、被験者（Ｈ）の生体活動としては、呼吸を始め、その他に、脈拍（心拍、拍動）、体動（例：寝返り）等が挙げられる。
【００５４】
起歪板（５）は、ヤング率が１０００〜２３００００ＭＰａの範囲の材料で形成されたものであることが望ましい。起歪体（２）の材料のヤング率が上記の範囲内に設定されることにより、被験者（Ｈ）の生体活動に伴い起歪板（５）に歪みが確実に生じたりその歪みが確実に変動したりするものとなる。ただし本発明では、起歪板（５）の材料のヤング率は上記の範囲内であることに限定されるものではない。
【００５５】
ここで、３個の起歪板（５）（５）（５）のうち、説明の便宜上、被験者（Ｈ）の頭部の下側に配置されるものを「頭部用起歪板（５）」、被験者（Ｈ）の胸部の下側に配置されるものを「胸部用起歪板（５）」、及び、被験者（Ｈ）の腹部の下側に配置されるものを「腹部用起歪板（５）」という。頭部用起歪板（５）、胸部用起歪板（５）及び腹部用起歪板（５）は、それぞれ、被験者（Ｈ）の頭部、胸部及び腹部からの生体情報を計測するために用いられるものである。
【００５６】
各歪み検出センサ（６）は、上述したように起歪板（５）に装着されており、起歪板（５）に生じる歪みと更にその時間変動とを検出するものである。詳述すると、本実施形態では、歪み検出センサ（６）は、起歪板（５）の幅方向中間部に生じる歪みと更にその時間変動とを検出するものである。また、歪み検出センサ（６）から出力される信号は、被験者（Ｈ）の生体情報の計測に用いられるものである。
【００５７】
歪み検出センサ（６）は、４個の歪みゲージ（７ａ）（７ａ）（７ｂ）（７ｂ）からなる。図３〜図５に示すように、これらの歪みゲージ（７ａ）（７ａ）（７ｂ）（７ｂ）のうち、２個の歪みゲージ（７ａ）（７ａ）と残りの２個の歪みゲージ（７ｂ）（７ｂ）とは、それぞれ、各起歪板（５）の幅方向中間部の上下両面の互いに対向する位置に、接着剤によって貼着されて装着されている。図７に示すように、これらの歪みゲージ（７ａ）（７ａ）（７ｂ）（７ｂ）は、互いに電気的に接続されてブリッジ回路（詳述するとホイートストンブリッジ回路）（８）が形成されている。すなわち、このブリッジ回路（８）は４個の歪みゲージ（７ａ）（７ａ）（７ｂ）（７ｂ）が組み込まれて形成されたものである。
【００５８】
（９ａ）（９ｂ）は、歪みゲージ（７ａ）（７ａ）（７ｂ）（７ｂ）（即ちブリッジ回路（８））の入力信号線及び出力信号線である。これらの図では、入力信号線（９ａ）と出力信号線（９ｂ）は互いに共通する１本の線で図示されている。入力信号線（９ａ）及び出力信号線（９ｂ）は、歪みゲージ（７ａ）（７ａ）（７ｂ）（７ｂ）からシーツ本体（２）の角部近傍に設けられた小孔（図示せず）を通って後述する演算手段（２１）に接続されている。
【００５９】
本実施形態のシーツ（１）において、そのシーツ本体（２）の内部における被験者（Ｈ）の頭部、胸部及び腹部に対応する位置には、それぞれ、頭部用起歪板（５）、胸部用起歪板（５）及び腹部用起歪板（５）がシーツ本体（２）に対して取外し可能に固定された状態で配置されている。このシーツ（１）の詳細な構成について以下に説明する。
【００６０】
すなわち、図２に示すように、このシーツ（１）のシーツ本体（２）の上面（即ち、該シーツ本体（２）の上面シーツ部（３）の外面（上面））には、被験者（Ｈ）の適切な就寝位置を示す、仰臥姿勢の人型のマーク（１３）が印刷等により付されている。この人型マーク（１３）の大きさは、被験者（Ｈ）が属する国、民族、性別、年齢等の平均身長に合わせて設定されている。さらに、シーツ本体（２）の内部における当該人型マーク（１３）の頭部、胸部及び腹部に対応する位置には、それぞれ、頭部用起歪板（５）、胸部用起歪板（５）及び腹部用起歪板（５）がシーツ本体（２）に対して取外し可能に固定された状態で配置されている。したがって、図８に示すように、被験者（Ｈ）が就寝する際に、この人型マーク（１３）に合うように被験者（Ｈ）がシーツ本体（２）上に仰臥姿勢で横になることにより、頭部用起歪板（５）、胸部用起歪板（５）及び腹部用起歪板（５）が、それぞれ、被験者（Ｈ）の頭部、胸部及び腹部の下側に配置されることとなる。
【００６１】
図８に示すように、シーツ本体（２）の頭側の縁部から頭部用起歪板（５）の配置位置までの距離ａは、例えば約１５０ｍｍに設定されている。シーツ本体（２）の頭側の縁部から胸部用起歪板（５）の配置位置までの距離ｂは、例えば約５００ｍｍに設定されている。シーツ本体（２）の頭側の縁部から腹部用起歪板（５）の配置位置までの距離ｃは、例えば約７００ｍｍに設定されている。
【００６２】
ただし本発明では、各起歪板（５）の配置位置は上記の位置であることに限定されるものではなく、被験者（Ｈ）の身長、被験者（Ｈ）の被験部位、シーツ本体（２）の大きさ等に応じて様々に設定されるものである。
【００６３】
このシーツ（１）の更に詳細な内部構成について以下に説明する。
【００６４】
図６に示すように、このシーツ（１）のシーツ本体（２）における上面シーツ部（３）の内面（下面）の幅方向の右側縁部には、右面ファスナ（１１）の一方（１１ａ）が該右側縁部に沿って該右側縁部の略全長に亘って固着されている。一方、下面シーツ部（４）の内面（上面）の幅方向の右側縁部には、この右面ファスナ（１１）の他方（１１ｂ）が該右側縁部に沿って該右側縁部の略全長に亘って固着されている。またこれと同様に、上面シーツ部（３）の内面（下面）の幅方向の左側縁部には、左面ファスナ（１１）の一方（１１ａ）が該左側縁部に沿って該左側縁部の略全長に亘って固着されている。一方、下面シーツ部（４）の内面（上面）の幅方向の左側縁部には、この左面ファスナ（１１）の他方（１１ｂ）が該左側縁部に沿って該左側縁部の略全長に亘って固着されている
各起歪板（５）は、該起歪板（５）の幅方向両端部が下面シーツ部（４）の左右両方の面ファスナ（１１）（１１）の他方（１１ｂ）（１１ｂ）上に載置された態様にして、起歪板（５）がシーツ本体（２）の幅方向と平行になるように下面シーツ部（４）上に配置されている。
【００６５】
そして、図３に示すように、シーツ本体（２）の上面シーツ部（３）と下面シーツ部（４）とが互いに重ね合わされた状態において、左右両方の面ファスナ（１１）（１１）の一方（１１ａ）（１１ａ）と他方（１１ｂ）（１１ｂ）との間で各起歪板（５）の幅方向両端部を挟んだ状態で左右両方の面ファスナ（１１）（１１）の一方（１１ａ）（１１ａ）と他方（１１ｂ）（１１ｂ）とが互いに分離可能に接合されており、これにより、各起歪板（５）がシーツ本体（２）に対して取外し可能に固定されている。
【００６６】
さらに、シーツ本体（２）の内部における起歪板（５）の配置位置以外の位置には、複数個の弾性シート（１０）が配置されている。この弾性シート（１０）は、被験者（Ｈ）に対して柔らか感を与えるとともに、更に、シーツ本体（２）の内部に起歪板（５）が配置されることより生じるシーツ本体（２）の上面の凹凸を、該弾性シート（１０）の厚さによって解消するためのものである。
【００６７】
弾性シート（１０）は、弾性を有する高分子発泡材製であり、例えば軟質又は硬質ウレタンフォーム製である。弾性シート（１０）の非圧縮時の厚さは例えば５〜５０ｍｍの範囲内に設定されている。また、シーツ本体（２）上に被験者（Ｈ）が横になることにより弾性シート（１０）が圧縮された状態において、該弾性シート（１０）の厚さは例えば起歪板（５）の厚さと等しくなるように設定されている。
【００６８】
次に、本実施形態のシーツ（１）のシーツ本体（２）の内部における起歪板（５）の固定位置を変更する方法について、以下に説明する。
【００６９】
まず、ファスナ（１２）を開けることにより、シーツ本体（２）の上面シーツ部（３）及び下面シーツ部（４）の頭側の縁部同士、左側縁部同士、及び足側の縁部同士を分離する。さらに、図６に示すように、上面シーツ部（３）を捲り上げることにより、左右両方の面ファスナ（１１）（１１）の一方（１１ａ）（１１ａ）と他方（１１ｂ）（１１ｂ）とを分離する。これにより、各起歪板（５）がシーツ本体（２）に対して取外し可能となる。次いで、各起歪板（５）を所望する位置に変更する。
【００７０】
その後、上面シーツ部（３）を下面シーツ部（４）に重ね合わせて、左右両方の面ファスナ（１１）（１１）の一方（１１ａ）（１１ａ）と他方（１１ｂ）（１１ｂ）とを互いに接合する。これにより、各起歪板（５）の幅方向両端部が左右両方の面ファスナ（１１）（１１）の一方（１１ａ）（１１ａ）と他方（１１ｂ）（１１ｂ）との間で挟まれ、もって各起歪板（５）がシーツ本体（２）に対して固定される。次いで、ファスナ（１２）を閉じることにより、シーツ本体（２）の上面シーツ部（３）及び下面シーツ部（４）の頭側の縁部同士、左側縁部同士、及び足側の縁部同士を結合する。
【００７１】
以上の手順により、起歪板（５）の固定位置を変更することができる。
【００７２】
本実施形態の生体情報計測装置（２０）の演算手段（２１）は、本実施形態のシーツ（１）の各歪み検出センサ（６）としての歪みゲージからの出力信号に基づいて被験者（Ｈ）の生体情報を演算するものである。本実施形態では、この演算手段（２１）では、被験者（Ｈ）の生体情報は、４個の歪みゲージ（７ａ）（７ａ）（７ｂ）（７ｂ）が組み込まれて形成された各ブリッジ回路（８）からの出力信号（詳述すると出力電圧）に基づいて演算される。
【００７３】
この演算手段（２１）は、ＣＰＵと、ＲＯＭ、ＲＡＭ等の記憶部とを有するコンピュータにより構成されている。この演算手段（２１）は、各ブリッジ回路（８）からの出力信号を増幅する増幅部と、該増幅部で増幅された信号をアナログ信号からデジタル信号に変換するアナログ−デジタル変換部と、該変換部で変換された信号から呼吸成分、脈拍成分、体動成分等の生体活動成分（生体情報成分）を抽出するためのフィルタリング処理部と、該処理部でフィルタリング処理された信号に基づいて生体情報を演算する演算部と、を有している。さらに、この演算手段（２１）は、各ブリッジ回路（８）に電力（電圧）を供給する電源部（図示せず）を有している。
【００７４】
この演算手段（２１）は、寝室、病室、ナースステーション、監視室、介護者の詰め所などに設置されるものである。
【００７５】
通信手段（２２）は、例えばモデムにより構成されたものであり、演算手段（２１）の演算結果として被験者（Ｈ）の生体情報を、電話回線網、インターネット、有線ＬＡＮ、無線ＬＡＮ等の無線通信網又は有線通信網を介して報知手段（２３）に送信するものである。電話回線網としては、例えば、固定電話の回線網や携帯電話（ＰＨＳを含む。）の回線網が用いられる。
【００７６】
報知手段（２３）は、演算手段（２１）の演算結果として被験者（Ｈ）の生体情報を報知対象者に対して報知するものである。報知対象者としては、看護師、介護者、監視者などが挙げられる。
【００７７】
この報知手段（２３）は、報知スピーカ、報知ランプ、表示手段などを有している。報知スピーカは、所定の情報を音声やブザー音等の音で報知対象者に対して報知するものである。報知ランプは、所定の情報をランプの点灯や点滅等で報知対象者に対して報知するものである。表示手段は、液晶ディスプレイ、プラズマディスプレイ、有機ＥＬディスプレイ、ＣＲＴ等により構成されており、所定の情報を文字、図等の表示により報知対象者に対して例えばリアルタイムに報知するものである。
【００７８】
この報知手段（２３）は、寝室、病室、ナースステーション、監視室、介護者の詰め所などに設置されたり、あるいは固定電話機や携帯電話機などに搭載されるものである。
【００７９】
次に、本実施形態の生体情報計測用シーツ（１）及び生体情報計測装置（２０）を用いて遂行される生体情報計測方法について、以下に説明する。
【００８０】
まず、図１に示すように、シーツ（１）のシーツ本体（２）を、ベッドの寝床面（５２）としてのマットレス（５１）の上面（５１ａ）上にその全面を覆う状態に敷く。
【００８１】
次いで、このシーツ本体（２）上に被験者（Ｈ）が就寝、休息、検査等のために仰臥姿勢で在床する（即ち横になる）。すると、被験者（Ｈ）の頭部、胸部及び腹部の重量（荷重）によってシーツ本体（２）の各起歪板（５）が弾性的に僅かに下方向に断面略円弧状に撓曲する。これにより、各起歪板（５）に曲げ歪みが発生し、特に各起歪板（５）の幅方向中間部に曲げ歪みが集中的に発生する。
【００８２】
被験者（Ｈ）が就寝すると、各起歪板（５）の歪みが被験者（Ｈ）の就寝中の生体活動（例：呼吸、拍動）に伴い時間的に微細に変動する。このような時間的な変動が、各ブリッジ回路（８）により検出される。そして、この各ブリッジ回路（８）からの出力信号（出力電圧）が出力信号線（９ｂ）を介して演算手段（２１）に送信される。そして、こうして送信された信号に基づいて演算手段（２１）により被験者（Ｈ）の生体情報が演算される。
【００８３】
演算手段（２１）の演算結果としての被験者（Ｈ）の生体情報は、通信手段（２２）により演算手段（２１）から報知手段（２３）に送信され、報知手段（２３）により報知対象者に対して報知される。これにより、報知対象者は被験者（Ｈ）の生体情報を知ることができる。
【００８４】
而して、本第１実施形態の生体情報計測用シーツ（１）は次の利点がある。
【００８５】
すなわち、このシーツ（１）によれば、シーツ本体（２）の内部における被験者（Ｈ）の各被験部位に対応する位置に、起歪板（５）がシーツ本体（２）に対して固定された状態で配置されているので、被験者（Ｈ）の体動（例：寝返り）などにより生じることのある起歪板（５）の位置ずれを防止できる。そのため、生体情報の計測の開始時から終了時までの間に亘って生体情報を正確に計測することができる。
【００８６】
さらに、シーツ本体（２）の上面に、被験者（Ｈ）の適切な就寝位置を示す人型のマーク（１３）が付されているので、この人型マーク（１３）に合うように被験者（Ｈ）がシーツ本体（２）上で横になることにより、被験者（Ｈ）の各被験部位の下側に、対応する起歪板（５）を確実に配置させることができる。これにより、被験者（Ｈ）の各被験部位からの生体情報を確実に計測することができる。
【００８７】
さらに、シーツ本体（２）が折り畳み可能又は捲回可能であるから、シーツ本体（２）を使用しないときには、シーツ本体（２）を折り畳んだりシーツ本体（２）をその端部から捲回したりすることにより、シーツ本体（２）をコンパクトな状態で保管したり収納したりすることができる。
【００８８】
さらに、各起歪板（５）がシーツ本体（２）に対して取外し可能に固定されているので、被験者（Ｈ）の身長に応じて各起歪板（５）の固定位置を変更することができる。これにより、被験者（Ｈ）の各被験部位の下側に、対応する起歪板（５）を確実に配置させることができ、もって被験者（Ｈ）の各被験部位からの生体情報を更に確実に計測することができる。
【００８９】
さらに、シーツ本体（２）が汚れた際には、各起歪板（５）をシーツ本体（２）に対して取り外して、該起歪板（５）をシーツ本体（２）の内部から取り出すことにより、シーツ本体（２）を容易に洗浄（洗濯）することができる。
【００９０】
また、このシーツ（１）によれば、シーツ本体（２）の上面シーツ部（３）と下面シーツ部（４）とが重ね合わされた状態において、左右両方の面ファスナ（１１）（１１）の一方（１１ａ）（１１ａ）と他方（１１ｂ）（１１ｂ）との間で各起歪板（５）の幅方向両端部を挟んだ状態で左右両方の面ファスナ（１１）（１１）の一方（１１ａ）（１１ａ）と他方（１１ｂ）（１１ｂ）とが互いに分離可能に接合されることにより、各起歪板（５）がシーツ本体（２）に対して取外し可能に固定されている。したがって、各起歪板（５）の固定位置を変更する際に、互いに接合された左右両方の面ファスナ（１１）（１１）の一方（１１ａ）（１１ａ）と他方（１１ｂ）（１１ｂ）とを分離することにより、各起歪板（５）をシーツ本体（２）に対して取り外すことができる。そのため、各起歪板（５）の固定位置を容易に変更することができる。
【００９１】
さらに、シーツ本体（２）の内部における各起歪板（５）の配置位置以外の位置に弾性シート（１０）が配置されているので、シーツ本体（２）の内部に各起歪板（５）が配置されることより生じるシーツ本体（２）の上面の凹凸を、弾性シート（１０）の厚さによって解消することができる。これにより、被験者（Ｈ）に対して寝心地を良くすることができる。
【００９２】
さらに、このシーツ（１）は、被験者（Ｈ）の頭部の下側に配置される頭部用起歪板（５）と、被験者（Ｈ）の胸部の下側に配置される胸部用起歪板（５）と、被験者（Ｈ）の腹部の下側に配置される腹部用起歪板（５）と、を備えているので、被験者（Ｈ）の頭部、胸部及び腹部からの生体情報をそれぞれ独立して計測することができる。これにより、より詳細な生体情報を計測できる。したがって、このシーツ（１）を備えた生体情報計測装置（２０）によれば、被験者（Ｈ）の詳細な生体情報として、例えば、閉塞性睡眠時無呼吸症候群（ＯＳＡＳ）、中枢性睡眠時無呼吸症候群（ＣＳＡＳ）及び混合性睡眠時無呼吸症候群（ＭＳＡＳ）を検出可能である。
【００９３】
さらに、シーツ本体（２）の上面シーツ部（３）及び下面シーツ部（４）の頭側の縁部同士、左側縁部同士、及び足側の縁部同士がファスナー（１２）により分離可能に結合されている。したがって、各起歪板（５）の固定位置を変更する際に、ファスナ（１２）を開くことにより、上面シーツ部（３）及び下面シーツ部（４）のこれらの縁部を互いに分離することができる。そのため、各起歪板（５）の固定位置を容易に変更することができる。
【００９４】
また、本実施形態の生体情報計測装置（２０）は本実施形態のシーツ（１）を備えているので、この計測装置（２０）は、本実施形態のシーツ（１）における上述した利点と同様の利点がある。
【００９５】
また、本実施形態の生体活動監視システム（３０）は、本実施形態の生体情報計測装置（２０）を備えている。したがって、この監視システム（３０）によれば、被験者（Ｈ）の生体活動を確実に監視できる。
【００９６】
また、本実施形態の生体情報計測ベッド（４０）は、本実施形態のシーツ（１）と演算手段（２１）と通信手段（２２）と報知手段（２３）とベッド（５０）（ベッド本体）とを備えるとともに、シーツ（１）はベッド（５０）の寝床面（５２）としてのマットレス（５１）の上面（５１ａ）上に敷かれるものである。したがって、このベッド（４０）によれば、被験者（Ｈ）の生体情報を確実に計測できる。
【００９７】
以上で本発明の幾つかの実施形態を説明したが、本発明は上記実施形態に示したものに限定されるものではなく、様々に設定変更可能である。
【００９８】
例えば、本発明では、各起歪板（５）に装着される歪みゲージの個数は１個であっても良いし、２個や３個以上であっても良い。
【００９９】
また、本実施形態では、ブリッジ回路（８）は、４個の歪みゲージが組み込まれたものであるが、本発明では、その他に、例えば、５個や６個以上の歪みゲージが組み込まれたものであっても良いし、１個以上の歪みゲージと１個以上の固定抵抗（ダミー抵抗）が組み込まれたものであっても良い。
【０１００】
また本発明では、歪み検出センサ（６）は、歪みゲージを始め、これ以外のセンサ、例えば、電導性エラストマセンサ（電導性ゴムセンサや電導性樹脂センサ等）、電歪デバイスセンサ、圧電デバイスセンサ、磁歪デバイスセンサであっても良いし、これらのセンサからなる群より選択される１種又は２種以上のセンサであっても良い。
【０１０１】
また本実施形態では、起歪板（５）の個数は３個であるが、本発明では、その他に、例えば、１個であっても良いし、２個であっても良いし、４個以上であっても良い。
【０１０２】
また本発明では、生体情報計測装置（２０）には、必要に応じて安全上の装置が付設されていても良いし、安全上の処理が施されていても良い。
【０１０３】
また本発明では、生体情報計測装置（２０）は、被験者（Ｈ）の生体情報の他に、更に、ベッド（５０）における被験者（Ｈ）の在床状況（例えば、被験者（Ｈ）の入床や離床）を検出できるように構成されていても良い。
【産業上の利用可能性】
【０１０４】
本発明は、被験者の生体情報を計測する際に用いられる生体情報計測用シーツ、生体情報計測装置、生体活動監視システム、及び生体情報計測ベッドに利用可能である。
【図面の簡単な説明】
【０１０５】
【図１】図１は、本発明の一実施形態に係る生体情報計測装置の概略斜視図である。
【図２】図２は、同計測装置に用いられた、本発明の一実施形態に係る生体情報計測用シーツの平面図である。
【図３】図３は、図２中のＸ−Ｘ線断面図である。
【図４】図４は、図３中のＺ部分の拡大図である。
【図５】図５は、図２中のＹ−Ｙ線断面図である。
【図６】図６は、同シーツのシーツ本体の内部構造を説明するための概略斜視図である。
【図７】図７は、同シーツの歪み検出センサとしての歪みゲージが組み込まれたブリッジ回路を示す回路図である。
【図８】図８は、同計測装置を使用状態で示す概略斜視図である。
【符号の説明】
【０１０６】
１…生体情報計測用シーツ
２…シーツ本体
３…上面シーツ部
４…下面シーツ部
５…起歪板
６…歪み検出センサ
７ａ、７ｂ…歪みゲージ
８…ブリッジ回路
１０…弾性シート
１１…面ファスナ
１１ａ…面ファスナの一方
１１ｂ…面ファスナの他方
１２…ファスナ
１３…人型マーク
２０…生体情報計測装置
２１…演算手段
２２…通信手段
２３…報知手段
３０…生体活動監視システム
４０…生体情報計測ベッド
５０…ベッド（ベッド本体）
５１…マットレス
５１ａ…マットレスの上面
５２…寝床面
Ｈ…被験者
【図１】
2008099957.tif 000003
【図２】
2008099957.tif 000004
【図３】
2008099957.tif 000005
【図４】
2008099957.tif 000006
【図５】
2008099957.tif 000007
【図６】
2008099957.tif 000008
【図７】
2008099957.tif 000009
【図８】
2008099957.tif 000010